(57)【要約】【課題】HDMIケーブルを流れる信号が従来と異なる新規なものとなった場合に、当該新規信号の処理に対応しているか否かをユーザに一目で把握させ、プラグの誤挿入を防止すること。【解決手段】HDMIプラグは、HDMI Type A規格に準拠したプラグシェルの２つの側面と底面との間にそれぞれ形成されている２つの凹部のうち、一方はそのままに、他方を上記側面と上記底面とを繋ぐ斜面に変更した形状を有し、上記HDMI Type A規格に準拠したレセプタクルに挿入不可能なプラグシェルを有する。HDMIレセプタクルは、上記HDMIプラグのプラグシェルに合致する形状を有し、当該プラグシェルが嵌合可能であり、かつ、上記HDMI Type A規格に準拠したプラグシェルを挿入可能である。【選択図】図１０
2011086537.tif 000002
【特許請求の範囲】
【請求項１】
HDMI（High-Definition Multimedia Interface）Type A規格に準拠したプラグシェルの２つの側面と底面との間にそれぞれ形成されている２つの凹部のうち、一方はそのままに、他方を前記側面と前記底面とを繋ぐ斜面に変更した形状を有し、前記HDMI Type A規格に準拠したレセプタクルに挿入不可能なプラグシェルを具備するHDMIプラグ。
【請求項２】
請求項１に記載のHDMIプラグであって、
前記斜面と前記側面との稜線から前記底面までの距離は０．８ｍｍ±０．３ｍｍであり、
前記斜面と前記底面との稜線から前記斜面と繋がる側面までの距離は１．２ｍｍ±０．６ｍｍである
HDMIプラグ。
【請求項３】
請求項１に記載のHDMIプラグのプラグシェルに合致する形状を有し、当該プラグシェルが嵌合可能であり、かつ、前記HDMI Type A規格に準拠したプラグシェルを挿入可能なHDMIレセプタクル。
【請求項４】
請求項１に記載のHDMIプラグのプラグシェルに合致する形状を有し、当該プラグシェルが嵌合可能であり、かつ、前記HDMI Type A規格に準拠したプラグシェルを挿入可能なHDMIレセプタクルを有する電子機器。
【請求項５】
請求項４に記載の電子機器であって、
前記HDMIレセプタクルを有する他の電子機器から、前記HDMIプラグを有するケーブルを介して、当該他の電子機器が前記HDMI Type A規格に準拠した所定の機能を実行可能であることを示す信号を受信する通信部と、
前記受信された信号を基に、前記所定の機能が実行可能であるか否かを示す情報を表示する表示部と
を具備する電子機器。
【請求項６】
HDMI Type A規格に準拠したプラグシェルの２つの側面と底面との間にそれぞれ形成されている２つの凹部のうち、一方はそのままに、他方を前記側面と前記底面とを繋ぐ斜面に変更した形状を有し、前記HDMI Type A規格に準拠したレセプタクルに挿入不可能なプラグシェルを有するHDMIプラグを具備するHDMIケーブル。
【発明の詳細な説明】
【技術分野】
【０００１】
本発明は、HDMI（登録商標、以下省略）（High-Definition Multimedia Interface）Type A規格に準拠したプラグ及びレセプタクルをそれぞれ改良したHDMIプラグ、HDMIレセプタクル、当該HDMIレセプタクルを有する電子機器及び当該HDMIプラグを有するHDMIケーブルに関する。
【背景技術】
【０００２】
下記非特許文献１に記載されているように、HDMI規格に準拠したコネクタ（プラグ及びレセプタクル）として、Type A，Type B，Type Cが提供されており、このうちType Aが最も普及している。このType Aのプラグのプラグシェルは、その両側面と底面との間に、正面から見て左右対称の凹部を有した形状をしており、Type AのレセプタクルもこのType Aのプラグの形状に合致した形状を有している。この凹部により、プラグはレセプタクルに対して一つの方向でしか挿入できないようにされており、プラグがレセプタクルに対して誤って上下さかさまに挿入され（いわゆる「逆差し」）、電気的接点を損傷することがないように工夫されている。
【先行技術文献】
【非特許文献】
【０００３】
【非特許文献１】High-Definition Multimedia Interface Specification Version 1.3a、2006年11月10日発行
【発明の概要】
【発明が解決しようとする課題】
【０００４】
ところで、このHDMI規格においては、今後、バージョンアップにより機能の追加を行うことが考えられている。また、新規の他のデジタルインターフェイス規格において、既にＣＥ（Consumer Electronics）機器において広く普及しているデジタルインターフェイス規格であるHDMI Type Aコネクタ（プラグ・レセプタクル）を利用することも考えられている。
【０００５】
このような機能の追加や他規格へのHDMI規格の利用が行われる場合、コネクタの形状は従来から規定されているHDMI Type Aの形状であるが、ケーブルを流れる信号が従来のものとは異なる新規なものとなる。ところが、信号が新規なものとなっても、従来と同じHDMIコネクタを用いた場合、従来のHDMI信号にのみ対応している機器は、HDMIケーブルに流れる新規な信号の処理ができないため、互換性がないこととなる。
【０００６】
そうすると、ユーザが、従来の機器が上記新規な信号の処理に対応していないことを把握できないために、「コネクタは挿入できたのに何故信号は繋がらないのか」ということが理解できず、混乱を招くことが懸念される。それにより、大量の苦情や問い合わせが発生することとなる。
【０００７】
以上のような事情に鑑み、本発明の目的は、HDMIケーブルを流れる信号が従来と異なる新規なものとなった場合に、当該新規信号の処理に対応しているか否かをユーザに一目で把握させ、プラグの誤挿入を防止することが可能なHDMIプラグ、HDMIレセプタクル、電子機器及びHDMIケーブルを提供することにある。
【課題を解決するための手段】
【０００８】
上記目的を達成するため、本発明の一形態に係るHDMIプラグは、HDMI Type A規格に準拠したプラグシェルの２つの側面と底面との間にそれぞれ形成されている２つの凹部のうち、一方はそのままに、他方を上記側面と上記底面とを繋ぐ斜面に変更した形状を有し、上記HDMI Type A規格に準拠したレセプタクルに挿入不可能なプラグシェルを有する。
【０００９】
この構成により、上記HDMIプラグは、HDMI規格においてバージョンアップによる機能追加があったり、他の新規規格にHDMI規格が利用されたりすることで、HDMIケーブルを流れる信号が従来とは異なる新規なものとなった場合でも、上記一方の凹部と他方の斜面との形状の相違により、当該プラグが新規な信号処理に対応しているか否かをユーザに一目で把握させることができる。したがって、新規規格に対応したプラグとそうでないプラグとの間でユーザの混乱が生じるのを確実に防ぐことができる。また当該HDMIプラグは従来のHDMIレセプタクルに挿入不可能であるため、ユーザが、上記新規な信号の処理に対応していない従来のレセプタクルに誤って当該HDMIプラグを挿入してしまうことが防止される。さらに、上記形状を変更する部分を上記斜面とすることで、当該HDMIプラグの形状に合致したHDMIレセプタクルに当該HDMIプラグが挿入される場合、当該HDMIプラグが誤って当該HDMIレセプタクルに斜めに挿入されてレセプタクル内部の電気的接点が損傷することが防止される。また上記斜面とされることで、凹凸を有する形状と比較して、製造時の金属曲げ加工が複雑になることが防止され、生産性が向上する。
【００１０】
上記HDMIプラグにおいて、上記斜面と上記側面との稜線から上記底面までの距離は０．８ｍｍ±０．３ｍｍであってもよく、また上記斜面と上記底面との稜線から上記斜面と繋がる側面までの距離は１．２ｍｍ±０．６ｍｍであってもよい。
【００１１】
上記HDMIプラグがこのような寸法に形成されることで、当該HDMIプラグ及びHDMIレセプタクルの各製造時の交差を考慮しても、上記斜めに挿入されることが確実に防止される。すなわち、HDMIプラグの上記寸法範囲に収まる斜面が、HDMIレセプタクル内部の対応する斜面に適切にガイドされることで、上記電気的接点の損傷が確実に防止される。
【００１２】
本発明の他の形態に係るHDMIレセプタクルは、上記HDMIプラグのプラグシェルに合致する形状を有し、当該プラグシェルが嵌合可能であり、かつ、上記HDMI Type A規格に準拠したプラグシェルを挿入可能である。
【００１３】
この構成により、上記HDMIレセプタクルは、新規な信号処理に対応した上記HDMIプラグと接続することで、当該HDMIレセプタクルを有する機器に、当該新規な信号処理を実行可能とすることができる。また当該HDMIレセプタクルは、従来のHDMI Type A規格に準拠したプラグシェルも挿入可能であるため、上記機器に、従来の機能との互換性も持たせることができる。
【００１４】
本発明のまた別の形態に係る電子機器は、上記HDMIプラグのプラグシェルに合致する形状を有し、当該プラグシェルが嵌合可能であり、かつ、上記HDMI Type A規格に準拠したプラグシェルを挿入可能なHDMIレセプタクルを有する。
【００１５】
当該電子機器は、通信部と、表示部とを有していてもよい。当該通信部は、上記HDMIレセプタクルを有する他の電子機器から、上記HDMIプラグを有するケーブルを介して、当該他の電子機器が上記HDMI Type A規格に準拠した所定の機能を実行可能であることを示す信号を受信する。上記表示部は、上記受信された信号を基に、上記所定の機能が実行可能であるか否かを示す情報を表示する。
【００１６】
これにより、ユーザは、上記HDMIプラグのプラグシェル及びHDMIレセプタクルの形状を確認することに加えて、上記表示部に表示される情報によっても、当該電子機器または上記HDMIプラグが上記所定の機能（従来のHDMI Type A規格では不可能な新規機能）を実行可能であるか否かを容易に把握することができる。ここで所定の機能としては、例えば、ＭＨＬ（Mobile High-definition Link）規格に準拠した携帯機器とHDMIケーブルを介して通信を行う機能等が考えられる。
【００１７】
本発明のまた別の形態に係るHDMIケーブルは、HDMI Type A規格に準拠したプラグシェルの２つの側面と底面との間にそれぞれ形成されている２つの凹部のうち、一方はそのままに、他方を上記側面と上記底面とを繋ぐ斜面に変更した形状を有し、上記HDMI Type A規格に準拠したレセプタクルに挿入不可能なプラグシェルを有するHDMIプラグを有する。
【発明の効果】
【００１８】
以上説明したように、本発明によれば、HDMIケーブルを流れる信号が従来と異なる新規なものとなった場合に、当該新規信号の処理に対応しているか否かをユーザに一目で把握させ、プラグの誤挿入を防止することができる。
【図面の簡単な説明】
【００１９】
【図１】本発明の一実施形態に係るHDMIプラグを有するHDMIケーブルを用いて行われる通信システムの概要を示す図である。
【図２】本発明の一実施形態に係るHDMIプラグを有するHDMIケーブルの外観を示す図である。
【図３】本発明の一実施形態において、プラグシェルの斜面の高さ（Ｈ）を0.8mm、幅（Ｗ）を1.2mmとしたHDMIプラグの正面図である。
【図４】図３に示したHDMIプラグの背面図である。
【図５】図３に示したHDMIプラグの平面図である。
【図６】図３に示したHDMIプラグの底面図である。
【図７】図３に示したHDMIプラグの右側面図である。
【図８】図３に示したHDMIプラグの左側面図である。
【図９】図３に示したHDMIプラグの正面、右側面及び平面側の斜視図である。
【図１０】図３に示したHDMIプラグの背面、右側面及び底面側の一部省略斜視図である。
【図１１】図３に示したHDMIプラグのプラグシェルの一部を実線で、その他を破線で示した図である。
【図１２】図４に示したHDMIプラグのプラグシェルの一部を実線で、その他を破線で示した図である。
【図１３】図５に示したHDMIプラグのプラグシェルの一部を実線で、その他を破線で示した図である。
【図１４】図６に示したHDMIプラグのプラグシェルの一部を実線で、その他を破線で示した図である。
【図１５】図７に示したHDMIプラグのプラグシェルの一部を実線で、その他を破線で示した図である。
【図１６】図８に示したHDMIプラグのプラグシェルの一部を実線で、その他を破線で示した図である。
【図１７】図９に示したHDMIプラグのプラグシェルの一部を実線で、その他を破線で示した図である。
【図１８】図１０に示したHDMIプラグのプラグシェルの一部を実線で、その他を破線で示した図である。
【図１９】本発明の一実施形態において、プラグシェルの斜面の高さ（Ｈ）及び幅（Ｗ）を図３に示したものよりも同一比率で大きくしたHDMIプラグの正面図である。
【図２０】図１９に示したHDMIプラグの背面図である。
【図２１】図１９に示したHDMIプラグの平面図である。
【図２２】図１９に示したHDMIプラグの底面図である。
【図２３】図１９に示したHDMIプラグの右側面図である。
【図２４】図１９に示したHDMIプラグの左側面図である。
【図２５】図１９に示したHDMIプラグの正面、右側面及び平面側の斜視図である。
【図２６】図１９に示したHDMIプラグの背面、右側面及び底面側の一部省略斜視図である。
【図２７】図１９に示したHDMIプラグのプラグシェルの一部を実線で、その他を破線で示した図である。
【図２８】図２０に示したHDMIプラグのプラグシェルの一部を実線で、その他を破線で示した図である。
【図２９】図２１に示したHDMIプラグのプラグシェルの一部を実線で、その他を破線で示した図である。
【図３０】図２２に示したHDMIプラグのプラグシェルの一部を実線で、その他を破線で示した図である。
【図３１】図２３に示したHDMIプラグのプラグシェルの一部を実線で、その他を破線で示した図である。
【図３２】図２４に示したHDMIプラグのプラグシェルの一部を実線で、その他を破線で示した図である。
【図３３】図２５に示したHDMIプラグのプラグシェルの一部を実線で、その他を破線で示した図である。
【図３４】図２６に示したHDMIプラグのプラグシェルの一部を実線で、その他を破線で示した図である。
【図３５】本発明の一実施形態において、プラグシェルの斜面の高さ（Ｈ）及び幅（Ｗ）を図３に示したものよりも同一比率で小さくしたHDMIプラグの正面図である。
【図３６】図３５に示したHDMIプラグの背面図である。
【図３７】図３５に示したHDMIプラグの平面図である。
【図３８】図３５に示したHDMIプラグの底面図である。
【図３９】図３５に示したHDMIプラグの右側面図である。
【図４０】図３５に示したHDMIプラグの左側面図である。
【図４１】図３５に示したHDMIプラグの正面、右側面及び平面側の斜視図である。
【図４２】図３５に示したHDMIプラグの背面、右側面及び底面側の一部省略斜視図である。
【図４３】図３５に示したHDMIプラグのプラグシェルの一部を実線で、その他を破線で示した図である。
【図４４】図３６に示したHDMIプラグのプラグシェルの一部を実線で、その他を破線で示した図である。
【図４５】図３７に示したHDMIプラグのプラグシェルの一部を実線で、その他を破線で示した図である。
【図４６】図３８に示したHDMIプラグのプラグシェルの一部を実線で、その他を破線で示した図である。
【図４７】図３９に示したHDMIプラグのプラグシェルの一部を実線で、その他を破線で示した図である。
【図４８】図４０に示したHDMIプラグのプラグシェルの一部を実線で、その他を破線で示した図である。
【図４９】図４１に示したHDMIプラグのプラグシェルの一部を実線で、その他を破線で示した図である。
【図５０】図４２に示したHDMIプラグのプラグシェルの一部を実線で、その他を破線で示した図である。
【図５１】本発明の一実施形態において、プラグシェルの斜面の高さ（Ｈ）を1.1mm（最大値）、幅（Ｗ）を1.8mm（最大値）としたHDMIプラグの正面図である。
【図５２】図５１に示したHDMIプラグの背面図である。
【図５３】図５１に示したHDMIプラグの平面図である。
【図５４】図５１に示したHDMIプラグの底面図である。
【図５５】図５１に示したHDMIプラグの右側面図である。
【図５６】図５１に示したHDMIプラグの左側面図である。
【図５７】図５１に示したHDMIプラグの正面、右側面及び平面側の斜視図である。
【図５８】図５１に示したHDMIプラグの背面、右側面及び底面側の一部省略斜視図である。
【図５９】図５１に示したHDMIプラグのプラグシェルの一部を実線で、その他を破線で示した図である。
【図６０】図５２に示したHDMIプラグのプラグシェルの一部を実線で、その他を破線で示した図である。
【図６１】図５３に示したHDMIプラグのプラグシェルの一部を実線で、その他を破線で示した図である。
【図６２】図５４に示したHDMIプラグのプラグシェルの一部を実線で、その他を破線で示した図である。
【図６３】図５５に示したHDMIプラグのプラグシェルの一部を実線で、その他を破線で示した図である。
【図６４】図５６に示したHDMIプラグのプラグシェルの一部を実線で、その他を破線で示した図である。
【図６５】図５７に示したHDMIプラグのプラグシェルの一部を実線で、その他を破線で示した図である。
【図６６】図５８に示したHDMIプラグのプラグシェルの一部を実線で、その他を破線で示した図である。
【図６７】本発明の一実施形態において、プラグシェルの斜面の高さ（Ｈ）を0.5mm（最小値）、幅（Ｗ）を0.6mm（最小値）としたHDMIプラグの正面図である。
【図６８】図６７に示したHDMIプラグの背面図である。
【図６９】図６７に示したHDMIプラグの平面図である。
【図７０】図６７に示したHDMIプラグの底面図である。
【図７１】図６７に示したHDMIプラグの右側面図である。
【図７２】図６７に示したHDMIプラグの左側面図である。
【図７３】図６７に示したHDMIプラグの正面、右側面及び平面側の斜視図である。
【図７４】図６７に示したHDMIプラグの背面、右側面及び底面側の一部省略斜視図である。
【図７５】図６７に示したHDMIプラグのプラグシェルの一部を実線で、その他を破線で示した図である。
【図７６】図６８に示したHDMIプラグのプラグシェルの一部を実線で、その他を破線で示した図である。
【図７７】図６９に示したHDMIプラグのプラグシェルの一部を実線で、その他を破線で示した図である。
【図７８】図７０に示したHDMIプラグのプラグシェルの一部を実線で、その他を破線で示した図である。
【図７９】図７１に示したHDMIプラグのプラグシェルの一部を実線で、その他を破線で示した図である。
【図８０】図７２に示したHDMIプラグのプラグシェルの一部を実線で、その他を破線で示した図である。
【図８１】図７３に示したHDMIプラグのプラグシェルの一部を実線で、その他を破線で示した図である。
【図８２】図７４に示したHDMIプラグのプラグシェルの一部を実線で、その他を破線で示した図である。
【図８３】図３〜図１８のHDMIプラグに対応したHDMIレセプタクルの正面図である。
【図８４】図８３のHDMIレセプタクルの斜視図である。
【図８５】図１９〜図３４のHDMIプラグに対応したHDMIレセプタクルの正面図である。
【図８６】図８５のHDMIレセプタクルの斜視図である。
【図８７】図３５〜図５０のHDMIプラグに対応したHDMIレセプタクルの正面図である。
【図８８】図８７のHDMIレセプタクルの斜視図である。
【図８９】図５１〜図６６のHDMIプラグに対応したHDMIレセプタクルの正面図である。
【図９０】図８９のHDMIレセプタクルの斜視図である。
【図９１】図６７〜図８２のHDMIプラグに対応したHDMIレセプタクルの正面図である。
【図９２】図９１のHDMIレセプタクルの斜視図である。
【図９３】本発明の一実施形態に係るHDMIレセプタクルが搭載される機器の一例としてのテレビジョン受像機の正面図である。
【図９４】図９３のテレビジョン受像機の背面図である。
【図９５】図９３のテレビジョン受像機の右側面図である。
【図９６】図９３のテレビジョン受像機の左側面図である。
【図９７】図９３のテレビジョン受像機の平面図である。
【図９８】図９３のテレビジョン受像機の底面図である。
【図９９】図９３〜図９８のテレビジョン受像機のうち、図８３及び図８４で示したHDMIレセプタクルが搭載された部分を拡大して示す左側面図である。
【図１００】従来のHDMI Type A規格に準拠したプラグの外観を示す斜視図である。
【図１０１】本発明の他の実施形態において、新規信号処理への対応の可否を示す画面の例を示した図である。
【図１０２】本発明の他の実施形態において、新規信号処理への対応の可否を示す画面のまた別の例を示した図である。
【発明を実施するための形態】
【００２０】
以下、図面を参照しながら、本発明の実施形態を説明する。
【００２１】
［HDMIシステムの概要］
まず、本発明の一実施形態に係るHDMIプラグを有するHDMIケーブルを用いて通信を行うHDMIシステムについて説明する。図１は、当該HDMIシステムの概要を示す図である。
【００２２】
同図に示すように、HDMIシステムは、HDMIケーブル５０により互いに接続されたHDMIソース機器１０（以下、単にソース機器１０と称する）及びHDMIシンク機器２０（以下、単にシンク機器２０と称する）から構成される。
【００２３】
ソース機器１０は例えばＢＤ（Blu-ray Disc）/ＤＶＤ/ＨＤＤ（Hard Disk Drive）レコーダ／プレイヤー等の記録再生装置、デジタルスチルカメラ、デジタルビデオカメラ、カムコーダ等のカメラ機器、ＰＣ（Personal Computer）、ゲーム機器、携帯電話機、携帯型ＡＶ（Audio Visual）機器等である。シンク機器２０は例えばテレビジョン受像機、ディスプレイ装置等である。
【００２４】
ソース機器１０とシンク機器２０とは、１本のHDMIケーブル５０で接続されており、ソース機器１０及びシンク機器２０は、現行のHDMIとの互換性を保ちながら、HDMIケーブル５０を利用して、高速で双方向のＩＰ通信を行うことができる。
【００２５】
ソース機器１０は、１の垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャンネルで、シンク機器２０に一方向に送信するとともに、水平帰線区間または垂直帰線区間において、少なくとも画像に付随する音声データや制御データ、その他の補助データ等に対応する差動信号を、複数のチャンネルで、シンク機器２０に一方向に送信する。
【００２６】
ソース機器１０は、この送信処理のために、トランスミッタ１１を有する。トランスミッタ１１は、例えば、非圧縮の画像の画素データを対応する差動信号に変換し、複数のチャンネルである３つのTMDSチャンネル＃０，＃１，＃２で、HDMIケーブル５０を介して接続されているシンク機器２０に、一方向にシリアル伝送する。
【００２７】
また、トランスミッタ１１は、非圧縮の画像に付随する音声データ、さらには、必要な制御データその他の補助データ等を、対応する差動信号に変換し、３つのTMDSチャンネル＃０，＃１，＃２でHDMIケーブル５０を介して接続されているシンク機器２０に、一方向にシリアル伝送する。
【００２８】
さらに、トランスミッタ１１は、３つのTMDSチャンネル＃０，＃１，＃２で送信する画素データに同期したピクセルクロックを、TMDSクロックチャンネルで、HDMIケーブル５０を介して接続されているシンク機器２０に送信する。ここで、１つのTMDSチャンネル＃ｉ（ｉ=０，１，２）では、ピクセルクロックの１クロックの間に、１０ビットの画素データが送信される。
【００２９】
シンク機器２０は、アクティブビデオ区間において、複数のチャンネルで、ソース機器１０から一方向に送信されてくる、画素データに対応する差動信号を受信する。またシンク機器２０はそれとともに、水平帰線区間または垂直帰線区間において、複数のチャンネルで、ソース機器１０から一方向に送信されてくる、音声データや制御データに対応する差動信号を受信する。
【００３０】
シンク機器２０は、この受信処理のために、レシーバ２１を有する。レシーバ２１は、TMDSチャンネル＃０，＃１，＃２で、HDMIケーブル５０を介して接続されているソース機器１０から一方向に送信されてくる、画素データに対応する差動信号と、音声データや制御データに対応する差動信号を、同じくソース機器１０からTMDSクロックチャンネルで送信されてくるピクセルクロックに同期して受信する。
【００３１】
ソース機器１０とシンク機器２０とからなるHDMIシステムの伝送チャンネルには、ソース機器１０からシンク機器２０に対して、画素データ及び音声データを、ピクセルクロックに同期して、一方向にシリアル伝送するための伝送チャンネルとしての３つのTMDSチャンネル＃０乃至＃２と、ピクセルクロックを伝送する伝送チャンネルとしてのTMDSクロックチャンネルとの他に、DDC（Display Data Channel）３１やCECライン３２と呼ばれる伝送チャンネルがある。
【００３２】
DDC３１は、HDMIケーブル５０に含まれる図示せぬ２本の信号線からなり、ソース機器１０が、HDMIケーブル５０を介して接続されたシンク機器２０から、E-EDID（Enhanced Extended Display Identification Data）を読み出すのに使用される。
【００３３】
すなわち、シンク機器２０は、レシーバ２１の他に自身の設定や性能に関する情報であるE-EDIDを記憶しているEDIDROM（EDID Read Only Memory）２２を有している。ソース機器１０は、HDMIケーブル５０を介して接続されているシンク機器２０から、そのシンク機器２０のEDIDROM２２が記憶しているE-EDIDをDDC３１を介して読み出し、そのE-EDIDに基づき、シンク機器２０の設定や性能、すなわち、例えばシンク機器２０（を有する電子機器）が対応している画像のフォーマット（プロファイル）、例えばRGB（Red, Green, Blue）や、YCbCr4:4:4，YCbCr4:2:2などを認識する。
【００３４】
CECライン３２は、HDMIケーブル５０に含まれる１本の信号線からなり、ソース機器１０とシンク機器２０との間で、制御用のデータの双方向通信を行うのに用いられる。
【００３５】
また、ソース機器１０及びシンク機器２０は、DDC３１またはCECライン３２を介して、例えば、IEEE（Institute of Electrical and Electronics Engineers）802.3に準拠したフレームをシンク機器２０及びソース機器１０に送信することにより、双方向のＩＰ通信を行うことができる。
【００３６】
さらに、HDMIケーブル５０には、Hot Plug Detectと呼ばれるピンに接続される信号線３３が含まれており、ソース機器１０及びシンク機器２０は、この信号線３３を利用して、新たな電子機器、つまりシンク機器２０またはソース機器１０の接続を検出することができる。
【００３７】
［HDMIケーブル、HDMIプラグ、HDMIレセプタクル］
次に、上記HDMIケーブル５０、当該HDMIケーブル５０が有するHDMIプラグ、及び当該HDMIプラグに対応したHDMIレセプタクルについて説明する。図２は、上記HDMIケーブルの外観を示す図である。図３は当該HDMIケーブルが有するHDMIプラグの正面図、図４は当該HDMIプラグの背面図、図５は当該HDMIプラグの平面図、図６は当該HDMIプラグの底面図、図７は当該HDMIプラグの右側面図、図８は当該HDMIプラグの左側面図である。図９は当該HDMIプラグの正面、右側面及び平面側の斜視図である。図１０は当該HDMIプラグの背面、右側面及び底面側の一部省略斜視図である。図１１〜図１８は、上記図３〜図１０にそれぞれ対応して、プラグシェルの一部（概ねレセプタクルへ挿入される部分）を実線で、その他を破線で示した図である。また比較のため、従来のHDMI Type A規格に準拠したプラグの外観を示す斜視図を図１００に示す。
【００３８】
（HDMIプラグ）
図２に示すように、本実施形態におけるHDMIケーブル５０のケーブル本体３０の両端には、HDMIプラグ４０が設けられている。図２〜図１８に示すように、HDMIプラグ４０は、プラグシェル４１と、プラグハウジング４２とを有する。プラグシェル４１は例えば金属製の筒体からなり、内部に上記各伝送チャンネルに対応した１９個のピンが固定されたピンベース４３を有する。プラグシェル４１は、上記各ピンに対してシールドの役割を果たす。プラグシェル４１は、後述するHDMIレセプタクルに嵌合挿入されることが可能であり、当該挿入により上記各ピンがレセプタクル内部のコンタクトと接触することで上記HDMIシステムにおける信号の導通が可能となる。プラグハウジング４２は例えば合成樹脂等の絶縁材料製の筐体からなり、当該プラグシェル４１の背面側の一部を被覆する。
【００３９】
これらの図に示すように、プラグシェル４１の一方の側面（図３の左側）と底面との間には、従来のHDMI Type A規格に準拠したプラグシェルと同一の凹部４４が形成されており、他方の側面（同図右側）と底面との間には、当該他方の側面と底面とを繋ぐ斜面４５が形成されている。すなわち、図１００との比較でも理解されるように、当該プラグシェル４１は、従来のHDMI Type A規格に準拠したプラグシェルが有する２つの凹部のうち一方を斜面４５（Ｃ面）に変更した形状を有している。当該斜面４５以外の部分の形状及び寸法は従来のHDMI Type A規格のものと全く同一である。またプラグシェル４１の奥行き方向（各図Ｚ方向）の長さは図示されたものに限られない。
【００４０】
ここで、本実施形態に係るHDMIプラグ４０において、上記従来のHDMI Type A規格のプラグシェルの２つの凹部の一方を上記斜面４５に変更した経緯について説明する。
【００４１】
HDMI規格においては、バージョンアップにより機能が追加されたり、新規の他のデジタルインターフェイス規格においてHDMI規格が利用されたりすることが想定される。例えば、MHL規格に準拠した携帯機器とHDMIレセプタクルを有する機器とをHDMIケーブルを介して接続して両者間で通信を行うこと等が考えられる。この場合、携帯機器がHDMIレセプタクルを搭載して、両端にHDMIプラグを有するHDMIケーブルで両者間が接続されてもよいし、携帯機器側がMicro USB(Universal Serial Bus)レセプタクルを有し、一端にMicro USBプラグ、他端にHDMIプラグを有するケーブルにより両者間が接続されてもよい。
【００４２】
このような機能追加・拡張が行われる場合、ケーブルを流れる信号は新規なものであるにも関わらず、コネクタ（プラグ及びレセプタクル）の形状が従来のHDMI Type Aと同一であると、ユーザは、当該新規信号の処理に対応していないことがプラグ及びレセプタクルの形状からは把握できない。したがって、ユーザは、プラグがレセプタクルに正しく挿入できたのに、なぜ上記新規信号の処理が行えないのか、ということが理解できず、混乱を招くことが懸念される。
【００４３】
そのため、上記新規信号処理に対応した新たなHDMIシステムにおいては、HDMIプラグ及びHDMIレセプタクルの形状に変更を加えることで、ユーザに当該新規信号処理への対応の可否を容易に把握させることが望まれる。そこで、本発明者等は、当該形状の変更の態様について以下のような検討を行った。
【００４４】
まず、上記新規信号処理に対応したソース機器１０と、上記新規信号処理に対応したシンク機器２０との間で通信を行う場合、HDMIケーブル５０のHDMIプラグの形状は新規形状であることが望ましく、それによりソース機器１０及びシンク機器２０のHDMIレセプタクルの形状は上記HDMIプラグの新規形状に対応した形状となる。
【００４５】
また、ソース機器１０とシンク機器２０との間をつなぐHDMIケーブル５０が従来のHDMIケーブルであっても、接続できることが望まれる。すなわち、ソース機器１０及びシンク機器２０の各HDMIレセプタクルの形状は、いずれも新規形状であって、かつ、従来のHDMI Type A規格に準拠したHDMIケーブルのプラグを挿入できることが望まれる。これにより、新規信号処理に対応したソース機器１０とシンク機器２０との間で、従来のHDMIケーブルを用いて、新規信号処理を実行することはできないにしても、従来の機能を実行可能とし、互換性を保つことができる。
【００４６】
次に、上記新規信号処理に対応したソース機器１０と、上記新規信号処理に対応していないシンク機器との間で通信を行う場合、シンク機器２０が当該新規信号処理に対応していないために両者間で新規信号処理を実行することはできない。ただし、従来のHDMIとしての機能は実現できなければいけないために、従来の信号は通ること望まれる。したがってこの場合のソース機器１０のHDMIレセプタクルの形状は新規形状となり、シンク機器のHDMIレセプタクルの形状は上記HDMI Type A規格に準拠したものとなり、HDMIケーブルは従来のHDMI Type A規格に準拠したHDMIプラグ形状を有するものが用いられる。
【００４７】
また、上記新規信号処理に対応していないソース機器と、上記新規信号処理に対応したシンク機器２０との間で通信を行う場合も同様に、従来の信号は通ること望まれるため、ソース機器のHDMIレセプタクルの形状は上記HDMI Type A規格に準拠したものとなり、シンク機器２０のHDMIレセプタクルの形状は新規形状となり、HDMIケーブルは従来のHDMI Type A規格に準拠したHDMIプラグ形状を有するものが用いられる。
【００４８】
以上説明した接続を実現するため、新規信号処理に対応したコネクタの形状としては、以下のことが望まれる。
（１）新規形状を有するHDMIレセプタクルには、従来のHDMI Type A規格のHDMIプラグを正しく挿入することができる。
（２）従来のHDMI Type A規格のHDMIレセプタクルには、新規形状のHDMIプラグを挿入することができない。
（３）従来のHDMI Type A規格のHDMIプラグの形状と、新規信号処理に対応したHDMIプラグの新規形状とは、ユーザに見分けがつけられる。
【００４９】
よって、これらを満たすためには、新規信号処理に対応したHDMIプラグ及びHDMIレセプタクルの新規形状は、従来のHDMI Type A規格のHDMIプラグ及びHDMIレセプタクルの形状をそれぞれ包含する、すなわち、従来のHDMI Type A規格のHDMIプラグ及びHDMIレセプタクルの外形形状よりも大きければよいことになる。
【００５０】
上記（１）〜（３）の条件を満たした上で、生産性や、逆指し、位置決めを考慮したHDMIプラグの新規形状としては、上記図３〜図１８で示したように、プラグシェルの一方の側面と底面との間を斜面４５（Ｃ面）とした形状となる。またそれに対応すべきHDMIレセプタクル側も同様である。ここで、上記形状が当該斜面４５でなければならない理由について詳細に説明する。
【００５１】
まず、従来のHDMI Type A規格のHDMIプラグのプラグシェルが有する底面側の２つの凹部をいずれも廃して、上面側と同一形状（底面と側面とが９０°で交差する形状）とした場合、すなわち正面側から見た形状を矩形とした場合を想定する。この場合、プラグシェルに凹形状が無いために、非常に作りやすく、また上記（１）〜（３）の条件も満たすが、上述した逆差しが可能となり、HDMIプラグのピン及びHDMIレセプタクルのコンタクトに対してダメージを与えてしまう可能性がある。
【００５２】
次に、上記２つの凹部の一方をそのままの形状とし、他方を上面側と同一形状とした場合、上記（１）〜（３）の条件は満たすが、このような形状のHDMIプラグは、それに対応した形状のHDMIレセプタクルに対して公差の分だけ斜めに（図１００のＸ方向に傾けて）挿入することが可能であり、その際に上記と同様にピン及びコンタクトを傷める可能性がある。したがってこのような形状も採用できない。
【００５３】
また、凹凸の激しい形状は、プラグシェルを形成するための金属板の曲げ加工が複雑となり、生産性の観点から採用できない。
【００５４】
また、HDMIコネクタ（HDMIプラグ及びHDMIレセプタクル）の幅方向（図１００のＸ方向）及び高さ方向（同図Ｙ方向）において、従来のHDMI Type A規格から形状を変えることは、コネクタの挿入精度の面で採用できない。なぜならば、従来のHDMI Type A規格において、寸法上最も公差の厳しいのは、プラグ側もレセプタクル側も、その幅と高さであり、その双方によって、コネクタの挿入時の位置精度が確保されているためである。
【００５５】
また、上記２つの凹部をそのまま小さくした形状とするのは、ユーザにとって従来のHDMI Type A規格のものとは見分けがつきにくいため、採用できない。
【００５６】
さらに、形状の変更は、プラグシェルの一方の側面側のみに施されることが望まれる。これは、プラグシェルの２つの側面で形状が明らかに異なることにより、ユーザにとって、それが新規機能を実現するために必要な、従来とは別のHDMIケーブルであると、より分かり易くする効果がある。両側面側が同一の形状であると、従来のHDMI Type A規格のプラグシェルと一見見分けがつきにくく、混乱を招くおそれがあるからである。
【００５７】
以上の検討から、新規信号処理に対応したHDMIプラグのプラグシェルにおいては、上記図３〜図１８に示したように、一方の側面側の凹部４４は従来のHDMI Type A規格のものと同一形状とし、他方の側面と底面との間の形状を斜面４５とするのが最も適当である。
【００５８】
以上のようにして形状の上で決定された斜面４５のサイズは、上記図３〜図１８に示したものに限られない。製造時の公差を含めて上記（１）〜（３）を満たすことを考慮すると、上記斜面４５の高さ（斜面４５と側面との稜線から底面までの距離；図３のＨ）及び幅（斜面４５と底面との稜線から、斜面４５と繋がる側面までの距離；同図Ｗ）は以下の範囲で適宜変更可能である。
高さ（Ｈ）方向  0.8mm  ±  0.3mm（最小値0.5mm、最大値1.1mm）
幅（Ｗ）方向    1.2mm  ±  0.6mm（最小値0.6mm、最大値1.8mm）
【００５９】
当該高さ（Ｈ）方向の長さと幅（Ｗ）方向の長さとは、上記の範囲内で如何様にも組み合わせられる。上記図３〜図１８に示したHDMIプラグ４０における上記高さ（Ｈ）は0.8mmであり、上記幅（Ｗ）は1.2mmである。
【００６０】
また、公差の範囲内で、高さ、幅方向で二値を設定することも考えられる。たとえば高さ方向に0.6mm、1.0mmの二値、幅方向に0.7mm、1.7mmの二値を与えることにより、さらに新しい規格が出た際に、それらの組み合わせ（４パターン）によって、その機能の後方互換性を同様に考慮した上での、誤挿入防止のための形状の作成が可能である。もちろん、二値ではなく三値以上が設定され、それらの組み合わせにより各規格への対応がなされても構わない。
【００６１】
図１９は、上記斜面４５の高さ（Ｈ）及び幅（Ｗ）の両方を、同一比率で、上記図３〜図１８に示したものよりも大きくしたHDMIプラグ１４０の正面図、図２０は当該HDMIプラグ１４０の背面図、図２１は当該HDMIプラグ１４０の平面図、図２２は当該HDMIプラグ１４０の底面図、図２３は当該HDMIプラグ１４０の右側面図、図２４は当該HDMIプラグ１４０の左側面図である。図２５は当該HDMIプラグ１４０の正面、右側面及び平面側の斜視図である。図２６は当該HDMIプラグ１４０の背面、右側面及び底面側の一部省略斜視図である。図２７〜図３４は、図１９〜図２６にそれぞれ対応して、プラグシェル４１の一部（概ねレセプタクルへ挿入される部分）を実線で、その他を破線で示した図である。これらの図及び以降の図において、上記図３〜図１８に示したHDMIプラグ４０と同一の機能を有する箇所には同一の符号を付している。
【００６２】
図３５は、上記斜面４５の高さ（Ｈ）及び幅（Ｗ）の両方を、同一比率で、上記図３〜図１８に示したものよりも小さくしたHDMIプラグ２４０の正面図、図３６は当該HDMIプラグ２４０の背面図、図３７は当該HDMIプラグ２４０の平面図、図３８は当該HDMIプラグ２４０の底面図、図３９は当該HDMIプラグ２４０の右側面図、図４０は当該HDMIプラグ２４０の左側面図である。図４１は当該HDMIプラグ２４０の正面、右側面及び平面側の斜視図である。図４２は当該HDMIプラグ２４０の背面、右側面及び底面側の一部省略斜視図である。図４３〜図５０は、図３５〜図４２にそれぞれ対応して、プラグシェル４１の一部（概ねレセプタクルへ挿入される部分）を実線で、その他を破線で示した図である。
【００６３】
図５１は、上記斜面４５の高さ（Ｈ）を1.1mm（最大値）、幅（Ｗ）を1.8mm（最大値）としたHDMIプラグ３４０の正面図、図５２は当該HDMIプラグ３４０の背面図、図５３は当該HDMIプラグ３４０の平面図、図５４は当該HDMIプラグ３４０の底面図、図５５は当該HDMIプラグ３４０の右側面図、図５６は当該HDMIプラグ３４０の左側面図である。図５７は当該HDMIプラグ３４０の正面、右側面及び平面側の斜視図である。図５８は当該HDMIプラグ３４０の背面、右側面及び底面側の一部省略斜視図である。図５９〜図６６は、図５１〜図５８にそれぞれ対応して、プラグシェル４１の一部（概ねレセプタクルへ挿入される部分）を実線で、その他を破線で示した図である。
【００６４】
図６７は、上記斜面４５の高さ（Ｈ）を0.5mm（最小値）、幅（Ｗ）を0.6mm（最小値）としたHDMIプラグ４４０の正面図、図６８は当該HDMIプラグ４４０の背面図、図６９は当該HDMIプラグ４４０の平面図、図７０は当該HDMIプラグ４４０の底面図、図７１は当該HDMIプラグ４４０の右側面図、図７２は当該HDMIプラグ４４０の左側面図である。図７３は当該HDMIプラグ４４０の正面、右側面及び平面側の斜視図である。図７４は当該HDMIプラグ４４０の背面、右側面及び底面側の一部省略斜視図である。図７５〜図８２は、図６７〜図７４にそれぞれ対応して、プラグシェル４１の一部（概ねレセプタクルへ挿入される部分）を実線で、その他を破線で示した図である。
【００６５】
（HDMIレセプタクル）
次に、上述した各種HDMIプラグを嵌合挿入可能なHDMIレセプタクルについて説明する。図８３及び図８４は、上記図３〜図１８に示したHDMIプラグ４０に対応したHDMIレセプタクル６０の正面図及び斜視図である。図８５及び図８６は、上記図１９〜図３４に示したHDMIプラグ１４０に対応したHDMIレセプタクル１６０の正面図及び斜視図である。図８７及び図８８は、上記図３５〜図５０に示したHDMIプラグ２４０に対応したHDMIレセプタクル２６０の正面図及び斜視図である。図８９及び図９０は、上記図５１〜図６６に示したHDMIプラグ３４０に対応したHDMIレセプタクル３６０の正面図及び斜視図である。図９１及び図９２は、上記図６７〜図８２に示したHDMIプラグ４４０に対応したHDMIレセプタクル４６０の正面図及び斜視図である。
【００６６】
これらの各図では、HDMIレセプタクルのうち、機器（ソース機器１０またはシンク機器２０）に搭載された場合に当該各機器の表面に露出する正面側の部分のみを実線で表し、その他の部分を破線で表している。またこれらの各図において、同一の機能を有する箇所には共通の符号を付している。
【００６７】
これらの図に示すように、各HDMIレセプタクル６０、１６０、２６０、３６０、４６０は、上記各HDMIプラグ４０、１４０、２４０、３４０、４４０を嵌合挿入可能な金属製の筒体からなるレセプタクルシェル６１をそれぞれ有する。当該各レセプタクルシェルは、上記各HDMIプラグ４０、１４０、２４０、３４０、４４０のプラグシェル４１に合致した形状を有する。
【００６８】
すなわち、各レセプタクルシェル６１の内面の、一方の側面と底面との間には、従来のHDMI Type A規格に準拠したレセプタクルが有する凸部と同一形状を有する凸部６３が形成され、他方の側面と底面との間には、上記各プラグシェル４１の斜面４５に対応する形状を有する斜面６４が形成されている。これにより、各プラグシェル４１は、その挿入時に、各レセプタクルシェル６１内面に面で接触しながら、奥（各図Ｚ方向）へとガイドされる。
【００６９】
各レセプタクルシェル６１の内部には、例えば合成樹脂等の絶縁材料からなり、各HDMIプラグ４０、１４０、２４０、３４０、４４０の挿入時に上記各ピンベースのピンと接触するコンタクトが設けられたコンタクトベース６２が設けられている。上記各ピンが上記各コンタクトと接触することで、ソース機器１０とシンク機器２０とが導通し、上記HDMIシステムにおける各種信号のやり取りが可能となる。
【００７０】
ここで、各HDMIレセプタクル６０、１６０、２６０、３６０、４６０は、上述したように、いずれも従来のHDMI Type A規格に準拠したプラグシェルをも挿入可能となっている。これによりHDMI Type A規格において実行されていた信号処理は従来どおり可能となる。
【００７１】
（HDMIレセプタクル搭載機器）
図９３は、上記各HDMIレセプタクル６０、１６０、２６０、３６０、４６０が搭載される機器の一例としてのテレビジョン受像機の正面図である。図９４は当該テレビジョン受像機の背面図、図９５は当該テレビジョン受像機の右側面図、図９６は当該テレビジョン受像機の左側面図、図９７は当該テレビジョン受像機の平面図、図９８は当該テレビジョン受像機の底面図である。また図９９は、当該テレビジョン受像機のうち、上記図８３及び図８４で示したHDMIレセプタクル６０が搭載された部分（図９６で符号Ａにより示す部分）を拡大して示す左側面図である。
【００７２】
図示しないが、図８５〜図９２に示した各HDMIレセプタクル１６０、２６０、３６０、４６０も、図９３〜図９８に示したテレビジョン受像機２００において上記HDMIレセプタクル６０が搭載されたのと同様の位置、大きさ、範囲に搭載可能である。もちろん、テレビジョン受像機の大きさに応じて、テレビジョン受像機の全体の大きさに対する当該HDMIレセプタクルの大きさは変わり得る。また、上記図９６に示された部分以外の部分にHDMIレセプタクルが搭載されても構わない。
【００７３】
［まとめ］
以上説明したように、本実施形態によれば、新規信号処理に対応したHDMIプラグのプラグシェルの形状を、従来のHDMI Type A規格のプラグシェルが有する２つの凹部のうち一方をそのままに、他方を上記斜面４５形状に変更し、それに対応してHDMI Type A規格のHDMIレセプタクルの形状も変更することで、HDMIケーブルが新規信号処理に対応していることがユーザに容易に認識される。
【００７４】
また、新規信号処理の対応可／対応不可の関係と、HDMIプラグのHDMIレセプタクルへの挿入可／挿入不可の関係とが対応しているため、ユーザの混乱を招くことも防止される。また、いわゆる逆差しによる電気的接点部分の損傷も防止される。
【００７５】
［変形例］
本発明は上述の実施形態にのみ限定されるものではなく、本発明の要旨を逸脱しない範囲内において種々変更され得る。
【００７６】
上述の実施形態においては、従来のHDMI Type A規格に準拠したプラグのプラグシェルの凹部の形状を上述及び図示したとおりに変更してHDMIプラグを形成することで、上記新規信号処理への対応の可否をユーザに外観上で容易に把握可能としていた。しかし、これに加えて、ソフトウェア的な手法で当該新規信号処理への対応の可否をユーザに報知してもよい。以下、この場合の実施形態について説明する。
【００７７】
図１０１は、上記新規信号処理への対応の可否を示す画面の例を示した図である。同図では、上記新規信号処理に対応したHDMIレセプタクルを有するソース機器１０としてのデジタルスチルカメラ１００と、同じく当該HDMIレセプタクルを有するシンク機器２０としてのテレビジョン受像機２００とがHDMIケーブル５０で接続された様子が示されている。もちろん、ソース機器１０及びシンク機器２０としては、当該デジタルスチルカメラ１００及びテレビジョン受像機２００以外の機器が採用されてもよい。
【００７８】
図示しないが、ソース機器１０としてのデジタルスチルカメラ１００は、上記図１で示したトランスミッタ１１及び上述したHDMIレセプタクルに加えて、レンズ、撮像素子、ＣＰＵ（Central Processing Unit）やメモリ等、撮像処理や通信処理、ソフトウェアの実行に必要なハードウェアを備えているものとする。また同じく図示しないが、シンク機器２０としてのテレビジョン受像機２００は、上記図１で示したレシーバ２１やEDIDROM２２、及び上述したHDMIレセプタクルに加えて、チューナやデコーダ、ＣＰＵやメモリ等、映像及び音声の受信再生や通信処理、ソフトウェアの実行に必要なハードウェアを備えているものとする。また同図に示すように、テレビジョン受像機２００は、ＣＰＵにより処理された映像を表示するディスプレイ２０１を備えている。同図のHDMIケーブル５０は上述した新規信号処理に対応したHDMIプラグを有する。
【００７９】
このような構成において、シンク機器２０としてのテレビジョン受像機２００のEDIDROM２２には、上記新規信号処理（以下、新機能とも称する）に対応していることを示すフラグが立てられている。
【００８０】
このEDIDROM２２の情報は、接続されているHDMIケーブル５０の上記DDC３１を通じてソース機器１０としてのデジタルスチルカメラ１００に送信され、デジタルスチルカメラ１００は、テレビジョン受像機２００が新機能を有していることを示す情報を取得（受信）することができる。
【００８１】
また、上記DDC３１に替えて、CECライン３２を用い、CDC（capability discovery and control）を用いて、デジタルスチルカメラ１００及びテレビジョン受像機２００は、互いの詳細な機能対応状況を把握できる。これにより両者は、双方が新機能に対応していることを示す情報を取得（受信）することができる。
【００８２】
このようなEDIDを用いた処理やCDCを用いた処理については、現状のHDMI規格の中で決定されており、詳細はその手順による。
【００８３】
デジタルスチルカメラ１００は、上記EDIDやCDCを用いて、テレビジョン受像機２００が上記新機能を有することを示す情報を取得し、当該取得ができたことを以って、上記新規信号をトランスミッタ１１によりテレビジョン受像機２００へHDMIケーブル５０の各信号線を介して送信することができる。テレビジョン受像機２００は、レシーバ２１により当該新規信号を受信し、それを再生することができる。
【００８４】
この場合、テレビジョン受像機２００は、デジタルスチルカメラ１００のEDIDROMまたはCDCにより受信した情報を基に、新機能に対応していることを示す画像２０２を、OSD（On Screen Display）もしくはその他ＧＵＩ（Graphical User Interface）として生成し、ディスプレイ２０１に表示する。また、当該画像２０２は、デジタルスチルカメラ１００により生成され、HDMIケーブル５０を介してテレビジョン受像機２００に受信されたものであってもよい。これにより、ユーザはデジタルスチルカメラ１００及びテレビジョン受像機２００の双方が新機能に対応していることを一目で把握することができる。
【００８５】
図１０２は、上記新規信号処理への対応の可否を示す画面の別の例を示した図である。テレビジョン受像機２００は、上記と同様の手法により、新機能で接続するか、従来のHDMI規格で実行可能な機能で接続するかをユーザに選択させることも可能である。同図に示すように、テレビジョン受像機２００は、その選択のための選択画像２０３及び２０４をディスプレイ２０１に表示する。当該選択は例えばテレビジョン受像機２００のリモートコントローラを介して行われる。現在選択されている機能を示す選択画像（同図では選択画像２０３）は例えばハイライト表示され、選択されていない機能を示す選択画像（同図では選択画像２０４）は例えばグレー表示される。もちろん、両選択画像の区別は、ハイライト表示／グレー表示に限られず、あらゆる態様で可能である。当該選択に基づいて、テレビジョン受像機２００は、HDMIケーブル５０を介して新規機能によりデジタルスチルカメラ１００との通信を行うか、従来の機能によりデジタルスチルカメラ１００との通信を行うかを切り替える。また、このほか、デジタルスチルカメラ１００もしくはテレビジョン受像機２００に個別に設けられたメカニカルスイッチにより上記新旧の機能を切り替えることも可能である。
【００８６】
当然ながら、上記図１０１及び図１０１で示した画像の表示は、ソース機器１０であるデジタルスチルカメラ１００で行われても構わない。
【００８７】
また、変形例として、デジタルスチルカメラ１００及びテレビジョン受像機２００は、両者が新機能に対応していることを上述の方法で把握した後、さらに、新規機能のテストとしてパケットを交換してみて、実際に新機能が実行可能かを判断してから、両者間の通信を可能にしてもよい。
【００８８】
ちなみに、2009年5月に発表されたHDMI ver1.4では、Ethernet（登録商標）をサポートする機能が拡張されている。しかし、当該機能拡張にあたって、上述したようなHDMIプラグ形状及びHDMIレセプタクル形状の変更はなされておらず、HDMIケーブルにEthernet（登録商標）機能に対応したケーブルである旨の記載等がなされることのみでユーザに当該機能への対応の可否を区別させる予定である。したがって、上記パケットの交換処理を挟んだ上で新機能への対応の可否を報知することは、今後のHDMI規格のバージョンアップ等の際に有効な処置となり得る。
【符号の説明】
【００８９】
１０…ソース機器
１１…トランスミッタ
２０…シンク機器
２１…レシーバ
４０、１４０、２４０、３４０、４４０…HDMIプラグ
４１…プラグシェル
４２…プラグハウジング
４４…凹部
４５、６４…斜面
５０…HDMIケーブル
６０、１６０、２６０、３６０、４６０…HDMIレセプタクル
６１…レセプタクルシェル
６３…凸部
１００…デジタルスチルカメラ
２００…テレビジョン受像機
２０１…ディスプレイ
２０２…画像
２０３…選択画像
【図１】
2011086537.tif 000003
【図２】
2011086537.tif 000004
【図３】
2011086537.tif 000005
【図４】
2011086537.tif 000006
【図５】
2011086537.tif 000007
【図６】
2011086537.tif 000008
【図７】
2011086537.tif 000009
【図８】
2011086537.tif 000010
【図９】
2011086537.tif 000011
【図１０】
2011086537.tif 000012
【図１１】
2011086537.tif 000013
【図１２】
2011086537.tif 000014
【図１３】
2011086537.tif 000015
【図１４】
2011086537.tif 000016
【図１５】
2011086537.tif 000017
【図１６】
2011086537.tif 000018
【図１７】
2011086537.tif 000019
【図１８】
2011086537.tif 000020
【図１９】
2011086537.tif 000021
【図２０】
2011086537.tif 000022
【図２１】
2011086537.tif 000023
【図２２】
2011086537.tif 000024
【図２３】
2011086537.tif 000025
【図２４】
2011086537.tif 000026
【図２５】
2011086537.tif 000027
【図２６】
2011086537.tif 000028
【図２７】
2011086537.tif 000029
【図２８】
2011086537.tif 000030
【図２９】
2011086537.tif 000031
【図３０】
2011086537.tif 000032
【図３１】
2011086537.tif 000033
【図３２】
2011086537.tif 000034
【図３３】
2011086537.tif 000035
【図３４】
2011086537.tif 000036
【図３５】
2011086537.tif 000037
【図３６】
2011086537.tif 000038
【図３７】
2011086537.tif 000039
【図３８】
2011086537.tif 000040
【図３９】
2011086537.tif 000041
【図４０】
2011086537.tif 000042
【図４１】
2011086537.tif 000043
【図４２】
2011086537.tif 000044
【図４３】
2011086537.tif 000045
【図４４】
2011086537.tif 000046
【図４５】
2011086537.tif 000047
【図４６】
2011086537.tif 000048
【図４７】
2011086537.tif 000049
【図４８】
2011086537.tif 000050
【図４９】
2011086537.tif 000051
【図５０】
2011086537.tif 000052
【図５１】
2011086537.tif 000053
【図５２】
2011086537.tif 000054
【図５３】
2011086537.tif 000055
【図５４】
2011086537.tif 000056
【図５５】
2011086537.tif 000057
【図５６】
2011086537.tif 000058
【図５７】
2011086537.tif 000059
【図５８】
2011086537.tif 000060
【図５９】
2011086537.tif 000061
【図６０】
2011086537.tif 000062
【図６１】
2011086537.tif 000063
【図６２】
2011086537.tif 000064
【図６３】
2011086537.tif 000065
【図６４】
2011086537.tif 000066
【図６５】
2011086537.tif 000067
【図６６】
2011086537.tif 000068
【図６７】
2011086537.tif 000069
【図６８】
2011086537.tif 000070
【図６９】
2011086537.tif 000071
【図７０】
2011086537.tif 000072
【図７１】
2011086537.tif 000073
【図７２】
2011086537.tif 000074
【図７３】
2011086537.tif 000075
【図７４】
2011086537.tif 000076
【図７５】
2011086537.tif 000077
【図７６】
2011086537.tif 000078
【図７７】
2011086537.tif 000079
【図７８】
2011086537.tif 000080
【図７９】
2011086537.tif 000081
【図８０】
2011086537.tif 000082
【図８１】
2011086537.tif 000083
【図８２】
2011086537.tif 000084
【図８３】
2011086537.tif 000085
【図８４】
2011086537.tif 000086
【図８５】
2011086537.tif 000087
【図８６】
2011086537.tif 000088
【図８７】
2011086537.tif 000089
【図８８】
2011086537.tif 000090
【図８９】
2011086537.tif 000091
【図９０】
2011086537.tif 000092
【図９１】
2011086537.tif 000093
【図９２】
2011086537.tif 000094
【図９３】
2011086537.tif 000095
【図９４】
2011086537.tif 000096
【図９５】
2011086537.tif 000097
【図９６】
2011086537.tif 000098
【図９７】
2011086537.tif 000099
【図９８】
2011086537.tif 000100
【図９９】
2011086537.tif 000101
【図１００】
2011086537.tif 000102
【図１０１】
2011086537.tif 000103
【図１０２】
2011086537.tif 000104